(57)【要約】      （修正有）【課題】配筋や部材の取付けが簡単で、より安全で経済的な盛土構造物の構成を提供する。【解決手段】壁面パネル５はコンクリートパネルであって、壁面パネル５の上面支持部および下面支持部から背面後方にコの字形の張出支持部がある。張出支持部には埋込ナットまたはボルト挿入孔が配置されている。さらに、壁面パネル５の背面には、転倒防止鉄筋６aを取り付ける埋込ナットまたは補強ブロック連結鉄筋を取付ける連結鉄筋取付けプレートを適切な間隔で配置し、壁面パネル５同士を積み上げ固定して盛土構造物の壁面を構築する。【選択図】図３
2017044053.tif 000002
【特許請求の範囲】
【請求項１】
盛土構造物の壁面を構築する壁面パネルは、  コンクリートパネルであって、前記壁面パネルの上面支持部および下面支持部は、該壁面パネル背面後方にコの字形に張出支持部があり、前記上面支持部の張出支持部には、適切な間隔で埋め込みナットまたはボルト挿入孔が配置され、前記上面支持部の張出支持部に接合する前記下面支持部の張出支持部には、前記埋め込みナットまたはボルト挿入孔に対向してボルト挿入孔を設けて構成、さらに、前記上面張出支持部および前記下面張出支持部の両サイドに、埋め込みナットを設けて構成、またさらに、該壁面パネルの背面には、転倒防止鉄筋を取付ける埋め込みナットまたは補強ブロック連結鉄筋を取付ける連結鉄筋取付プレートを適切な間隔で配置して構成し、該壁面パネル同士の積み上げ固定ができる構造のコンクリート壁面パネル。
【請求項２】
前記壁面パネルによる基礎部の構成は、最下段と下部２段目の該壁面パネルを基礎部とし、最下段の前記壁面パネルの下面支持部を平らなベースブロックに固定し、下部２段目の前記壁面パネルを積み上げて固定、さらに前記下部２段目の壁面パネルには転倒防止鉄筋を取付け、最下部から前記下部２段目の壁面パネルの概ね１／２の高さまで、埋戻しコンクリートを打設して構成した、基礎底盤であることを特徴とする請求項１に記載のコンクリート壁面パネル。
【請求項３】
前記壁面パネルによる盛土構造物の構成は、該壁面パネルには、プレート付転倒防止鉄筋の取付け、法面にはせん断防止ボルトの打設、法面と壁面の間に盛土材を積層させ、盛土層打ち継ぎ目には補強金網材の敷設を行って構成したことを特徴とする請求項２に記載のコンクリート壁面パネル。
【請求項４】
さらに、前記壁面パネルによる盛土構造物の構成は、該壁面パネルに補強ブロックを鉄筋で連結し、法面と壁面の間に盛土材を積層させて構成したことを特徴とする請求項１に記載のコンクリート壁面パネル。
【発明の詳細な説明】
【技術分野】
【０００１】本発明は盛土構造物の構成に関するものである。
【背景技術】
【０００２】盛土構造物としては、法面下部を基礎地盤として基礎ブロックを設置し、その上に壁面パネルを積み上げて固定して壁面を形成し、壁面パネルと、法面の間に盛土材を積層して構成されることが知られている。
【先行技術文献】
【特許文献】
【０００３】
【特許文献１】特開２０１０−１９０４３
【発明の概要】
【発明が解決しようとする課題】
【０００４】従来の壁面コンクリートパネルパネルを用いた盛土構造物は、以下の問題点があった。
〈１〉壁面パネルは、軽量化を図り自立性をもたせた形状を目的としているため、製造に用いる型枠が複雑で、仕上げも容易でないため、製品コストが高い。
〈２〉軽量の壁面パネルは厚みが薄いことから、鉄筋のかぶりに余裕をもたせる余地がなく、海岸に近い等で防錆強化が必要な場合、対応が困難となる。
〈３〉壁面パネルの積み上げ固定に用いる鋼材のコストが高い。
【課題を解決するための手段】
【０００５】〈１〉請求項１は、盛土構造物の壁面を構築するコンクリート壁面パネルであって、前記壁面パネルの上面支持部および下面支持部は、該壁面パネル背面後方にコの字型に張出支持部があり、前記上面支持部の張出支持部には、適切な間隔で埋め込みナットまたはボルト挿入孔が配置され、前記上面支持部の張出支持部に接合する前記下面支持部の張出支持部には、前記埋め込みナットまたはボルト挿入孔に対向してボルト挿入孔が設けてあり、該壁面パネル同士を積み上げて上下連結ボルトで固定、さらに、前記上面張出支持部および前記下面張出支持部の両サイドに、埋め込みナットが設けてあり、前記の該壁面パネル同士を積み上げて上下連結ボルトで固定した上に、側面連結プレートとボルトで、前記上面張出支持部および前記下面張出支持部の両サイドを固定、またさらに、該壁面パネルの背面には、転倒防止鉄筋を取付ける埋め込みナットまたは補強ブロック連結鉄筋を取付ける連結鉄筋取付プレートを適切な間隔で配置して構成し，該壁面パネル同士の積み上げ固定の強化ができるコンクリート壁面パネルとする。
なお、該壁面パネルの形状は、できる限りシンプルにして、機能的に埋め込みナットおよびボルト挿入孔が配置できるようする。
〈２〉請求項２は、請求項１に記載のコンクリート壁面パネルによる基礎底盤であって、最下段と下部２段目の該壁面パネルを基礎部とし、最下段の前記壁面パネルの下面支持部を平らなベースブロックに固定し、下部２段目の前記壁面パネルを積み上げて固定、さらに前記下部２段目の壁面パネルには転倒防止鉄筋を取付け、最下部から前記下部２段目の壁面パネルの概ね１／２の高さまで、埋戻しコンクリートを打設して構成し、安定した基礎底盤とする。
〈３〉請求項３は、前記のコンクリート壁面パネルによる盛土構造物の構成であって、該記壁面パネルには、プレート付転倒防止鉄筋の取付け、法面には、せん断防止ボルトの打設、法面と壁面の間に盛土材を積層させ、盛土層打継目には、補強金網材の敷設を行って構成し、一体化した盛土構造物にする。
〈４〉請求項４は、さらに、前記のコンクリート壁面パネルによる盛土構造物の構成であって、該記壁面パネルに、補強ブロックを鉄筋で連結し、法面と壁面の間に盛土材を積層させて構成し、一体化した盛土構造物とする。
【発明の効果】
【０００６】壁面パネルのシンプルな形状は、製造が容易で、コストダウンが図れる。
また、鉄筋のかぶりに余裕をもたせ適切な壁面パネルの厚みにすることで、埋め込みナットの機能的配置を容易とし、安価な汎用ボルトを用いての壁面パネルの積み上げ連結が可能となる。
さらに、安定した基礎底盤にすることで、より安全性の高い盛土構造物が構築でき、盛土材および補強材の構成に選択肢が増えて、安全性および経済性が向上する。
【図面の簡単な説明】
【０００７】
【図１】盛土構造物の基本的な構成を示した図である。
【図２】壁面パネルの基本構造図である。
【図３】壁面パネルの基本的な組立構成図である。
【図４】盛土構造物の基本的な材料構成を示した図である。
【図５】補強ブロックを用いた場合の盛土構造物の構成図である。
【図６】壁面パネルの固定方法および転倒防止鉄筋の取付け方法を示した図である。
【図７】基礎部の壁面パネルの固定方法を示した図である。
【図８】補強ブロックの基本構造図である。
【図９】ベースブロックの基本構造図である。
【図１０】壁面パネルと補強ブロックの連結方法を示した図である。
【図１１】壁面パネルと補強ブロックの連結パターンを示した図である。
【図１２】壁面パネルと補強ブロックの連結パターンを示した図である。
【発明を実施するための形態】
【０００８】以下、図面を参照しながら本発明の実施の形態について説明する。
【実施例】
【０００９】盛土構造物は図１に示すように、法面１と法面下部に設けた基礎底盤２と、その上に壁面パネル５を積み上げた壁面３とその間に打設された盛土材４と盛土に埋設される補強材６で構成されている。【００１０】壁面パネル５はコンクリートパネルである。
壁面パネル５は図２に示すように、背面５ｂの上面張出支持部５ｃ−２に，上下連結用埋め込みナット５ｅが配置され，下面張出支持部５ｄ−２には、ボルト挿入孔５ｇ（貫通孔）が設けられ、さらに上面張出支持部５ｃ−２と下面張出支持部５ｄ−２の両側面に、側面連結用埋め込みナット５ｆが設けられ、またさらに、背面５ｂには転倒防止鉄筋取付用埋め込みナット５ｈがあり、図３および図６に示すように壁面パネル同士を積み上げて、上下連結ボルト５ｉおよび側面連結プレート・ボルト５ｊで固定し、さらに、転倒防止鉄筋６ａを取付けて、図１に示す壁面３を構築する。
なお、壁面パネル５の前面５ａは盛土構造物の表面となるので、景観を良くするため、なだらかな模様をつけている。【００１１】法面１は、図４に示すように、複数のせん断防止ボルト８を打設する場合がある。
このせん断防止ボルト８を打設して法面を構築する方法は、公知の方法を利用して行っても良い。【００１２】基礎底盤２は、図３および図４および図７に示すように、地面を掘り下げてベースコンクリート（均しコンクリート）２ａを打設し、その上にベースブロック２ｂに壁面パネル５−１を、基礎固定ボルト２ｃで連結固定して自立させ、つづいて壁面パネル５−２を積み上げて連結固定し、壁面パネル５−２には、図２に示す転倒防止鉄筋取付用埋め込みナット５ｈに転倒防止鉄筋６ａを取付け、壁面パネル５−２の高さの概ね１／２まで埋戻しコンクリート２ｄを打設して基礎底盤２を構築する。
なお、壁面パネル５−２に水抜き孔５ｋと基礎底盤２に暗渠排水７を設けて、法面１からの水を排水する。【００１３】ベースブロック２ｂは、図９に示すように、壁面パネル５−１を固定するための基礎固定ナット２ｅが埋め込まれていて、図７に示すように基礎固定ボルト２ｃで、壁面パネル５−１を連結固定する。【００１４】盛土構造物は、基礎底盤２より上に構築された壁面パネル５による壁面３、と法面１との間に盛土材４を積層させて構築するが、盛土材にセメントを原料としたエアミルクを用いる場合は、図４に示すように、最上層の打継目には、補強金網材６ｂの敷設を行ったほうが良い。【００１５】盛土材４は、セメントを原料としたエアミルク以外に土や砕石などがあり、盛土構造物の条件に適した材料を使用して、盛土層４ａを構築できる。
なお、この盛土の積層方法は公知の方法を利用しても良い。【００１６】盛土構造物の構築には、図５および図１０に示すように、積み上げ固定された壁面パネル５の張出支持部のボルト挿入孔５ｇに、補強ブロック連結鉄筋６ｃの先端を通して連結鉄筋固定ナット６ｄで固定させ、壁面パネル５と補強ブロック９を連結させる。また壁面パネル５の背面の連結鉄筋取付プレート６ｅに補強ブロック連結鉄筋６ｃを連結鉄筋固定ナット６ｄで取付けて補強ブロック９と連結させ、法面１と壁面３の間に盛土材を積層させる方法もある。【００１７】補強ブロック９は図８に示すように、上面９ａに連結鉄筋挿入孔９ｃが設けてあり、図１０に示すように、壁面パネル５に連結鉄筋取付プレート６ｅと補強ブロック連結鉄筋６ｃを取付けて、補強ブロック９に連結する。【００１８】壁面パネル５と補強ブロック９の連結パターンとしては、図１１や図１２に示す方法があるが、盛土構造物の条件に応じた適切な組合せ構成を選択することで、経済的な盛土構造物を構築することが出来る。
【産業上の利用可能性】
【００１９】〈１〉斜面での道路拡幅工事を経済的に施工できる。
〈２〉道路災害において早期の復旧工事が可能。
〈３〉護岸と道路を併用した工事が可能
【符号の説明】
【００２０】１        法面
２        基礎底盤
３        壁面
４        盛土材
５        壁面パネル
５−１    壁面パネル  基礎用最下段
５−２    壁面パネル  基礎用２段目
６        補強材
７        暗渠排水
８        せん断防止ボルト
９        補強ブロック
２ａ      ベースコンクリート
２ｂ      ベースブロック
２ｃ      基礎固定ボルト
２ｄ      埋戻しコンクリート
２ｅ      基礎固定ナット
４ａ      盛土層
５ａ      （壁面パネル）前面（表面）
５ｂ      （壁面パネル）背面
５ｃ      （壁面パネル）上面支持部
５ｃ−２  （壁面パネル）上面張出支持部
５ｄ      （壁面パネル）下面支持部
５ｄ−２  （壁面パネル）下面張出支持部
５ｅ      （壁面パネル）上下連結用埋め込みナット
５ｆ      （壁面パネル）側面連結用埋め込みナット
５ｇ      （壁面パネル）ボルト挿入孔
５ｈ      （壁面パネル）転倒防止鉄筋取付用埋め込みナット
５ｉ      （壁面パネル）上下連結ボルト
５ｊ      （壁面パネル）側面連結プレート・ボルト
５ｋ      （壁面パネル）水抜き孔
６ａ      （壁面パネル）転倒防止鉄筋（プレート付）
６ｂ      （盛土層）補強金網材
６ｃ      補強ブロック連結鉄筋
６ｄ      連結鉄筋固定ナット
６ｅ      連結鉄筋取付プレート
９ａ      （補強ブロック）上面
９ｂ      （補強ブロック）下面
９ｃ      （補強ブロック）連結鉄筋挿入孔
【図１】
2017044053.tif 000003
【図２】
2017044053.tif 000004
【図３】
2017044053.tif 000005
【図４】
2017044053.tif 000006
【図５】
2017044053.tif 000007
【図６】
2017044053.tif 000008
【図７】
2017044053.tif 000009
【図８】
2017044053.tif 000010
【図９】
2017044053.tif 000011
【図１０】
2017044053.tif 000012
【図１１】
2017044053.tif 000013
【図１２】
2017044053.tif 000014